【手続補正書】
【提出日】平成20年11月13日(2008.11.13)
【手続補正１】
【補正対象書類名】特許請求の範囲
【補正対象項目名】全文
【補正方法】変更
【補正の内容】
【特許請求の範囲】
【請求項１】
マニュアルデータの取得が可能な電子装置において、ディスプレイを有する操作手段と、機能との対応関係を有するヘルプ機能用データ、及び、前記ヘルプ機能用データと前記マニュアルデータとの関連を示すヘルプ−マニュアル間リンクデータを格納したメモリと、前記マニュアルデータの取得を制御する制御手段とを備え、前記制御手段は、前記操作手段からの機能の選択によって、選択された機能に対応するヘルプ機能用データが前記操作手段に表示されたとき、前記ヘルプ機能用データに関連するマニュアルデータを取得するリンク情報を前記操作手段に表示することを特徴とする電子装置。
【請求項２】
前記制御手段は、前記操作手段に表示されたリンク情報に従って、前記ヘルプ機能用データに関連するマニュアルデータを取得し、その内容を前記ディスプレイに表示するように指示を行うことを特徴とする請求項１記載の電子装置。
【請求項３】
前記制御手段は、前記操作手段に表示されたリンク情報に従って、前記ヘルプ機能用データに関連するマニュアルデータの内容が記載された紙文書によるマニュアルのページ番号を取得し、前記ディスプレイに表示するように指示を行うことを特徴とする請求項１記載の電子装置。
【請求項４】
マニュアルデータの取得が可能な画像形成装置において、請求項１、２または３記載の電子装置を備えたことを特徴とする画像形成装置。
【請求項５】
マニュアルデータの取得方法において、機能との対応関係を有するヘルプ機能用データ、及び、前記ヘルプ機能用データと前記マニュアルデータとの関連を示すヘルプ−マニュアル間リンクデータをメモリに格納しておき、ディスプレイを有する操作手段からの機能の選択によって、選択された機能に対応するヘルプ機能用データが前記操作手段に表示されたとき、前記ヘルプ機能用データに関連するマニュアルデータを取得するリンク情報を前記操作手段に表示し、リンク先から前記ヘルプ機能用データに関連するマニュアルデータを取得することを特徴とするマニュアルデータの取得方法。
【手続補正２】
【補正対象書類名】明細書
【補正対象項目名】発明の名称
【補正方法】変更
【補正の内容】
【発明の名称】電子装置、画像形成装置及びマニュアルデータの取得方法
【手続補正３】
【補正対象書類名】明細書
【補正対象項目名】０００１
【補正方法】変更
【補正の内容】
【０００１】
本発明は、電子装置、画像形成装置及び操作マニュアルの取得方法に係り、特に、ヘルプ機能を有する、あるいは、ヘルプ機能を持たせることができる画像形成装置、電磁レンジ、冷蔵庫、洗濯機、エアコン、オーディオ機器、携帯電話等に組み込まれてマニュアルデータを取得する電子装置、画像形成装置及びマニュアルデータの取得方法に関する。
【手続補正４】
【補正対象書類名】明細書
【補正対象項目名】００１２
【補正方法】変更
【補正の内容】
【００１２】
本発明の目的は、前述した従来技術の問題点を解決し、ヘルプ機能で得られなかった説明をマニュアルから検索する作業を簡易化、効率化すると共に、現在行っている操作に対する説明をユーザがより小さな労力で取得することができるようにした電子装置、画像形成装置及びマニュアルデータの取得方法を提供することにある。
【手続補正５】
【補正対象書類名】明細書
【補正対象項目名】００１３
【補正方法】変更
【補正の内容】
【００１３】
前述の目的を達成するため本発明の第１の手段は、マニュアルデータの取得が可能な電子装置において、ディスプレイを有する操作手段と、機能との対応関係を有するヘルプ機能用データ、及び、前記ヘルプ機能用データと前記マニュアルデータとの関連を示すヘルプ−マニュアル間リンクデータを格納したメモリと、前記マニュアルデータの取得を制御する制御手段とを備え、前記制御手段は、前記操作手段からの機能の選択によって、選択された機能に対応するヘルプ機能用データが前記操作手段に表示されたとき、前記ヘルプ機能用データに関連するマニュアルデータを取得するリンク情報を前記操作手段に表示することを特徴とする。
【手続補正６】
【補正対象書類名】明細書
【補正対象項目名】００１４
【補正方法】変更
【補正の内容】
【００１４】
本発明の第２の手段は、第１の手段において、前記制御手段が、前記操作手段に表示されたリンク情報に従って、前記ヘルプ機能用データに関連するマニュアルデータを取得し、その内容を前記ディスプレイに表示するように指示を行うことを特徴とする。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
本発明の第３の手段は、第１の手段において、前記制御手段が、前記操作手段に表示されたリンク情報に従って、前記ヘルプ機能用データに関連するマニュアルデータの内容が記載された紙文書によるマニュアルのページ番号を取得し、前記ディスプレイに表示するように指示を行うことを特徴とする。
【手続補正１３】
【補正対象書類名】明細書
【補正対象項目名】００２１
【補正方法】変更
【補正の内容】
【００２１】
本発明の第４の手段は、マニュアルデータの取得が可能な画像形成装置において、第１、第２または第３記載の電子装置を備えて構成されたことを特徴とする。
【手続補正１４】
【補正対象書類名】明細書
【補正対象項目名】００２２
【補正方法】変更
【補正の内容】
【００２２】
本発明の第５の手段は、マニュアルデータの取得方法において、機能との対応関係を有するヘルプ機能用データ、及び、前記ヘルプ機能用データと前記マニュアルデータとの関連を示すヘルプ−マニュアル間リンクデータをメモリに格納しておき、ディスプレイを有する操作手段からの機能の選択によって、選択された機能に対応するヘルプ機能用データが前記操作手段に表示されたとき、前記ヘルプ機能用データに関連するマニュアルデータを取得するリンク情報を前記操作手段に表示し、リンク先から前記ヘルプ機能用データに関連するマニュアルデータを取得することを特徴とする。
【手続補正１５】
【補正対象書類名】明細書
【補正対象項目名】００３２
【補正方法】変更
【補正の内容】
【００３２】
通信制御プログラム２０４は、通信制御ドライバ２０７を介してネットワーク１１４との間の通信を制御し、ネットワーク１１４上の通信相手からの情報をアプリケーションプログラム２０１に伝え、アプリケーションプログラム２０１からの情報をネットワーク１１４上の通信相手に伝える。通信制御ドライバ２０７は、前述したような通信制御プログラム２０４の指示により、オペレーティングシステム２０８を介して、ネットワーク１１４との間の通信の物理的な制御を行う。
【手続補正１６】
【補正対象書類名】明細書
【補正対象項目名】００３３
【補正方法】変更
【補正の内容】
【００３３】
オペレーティングシステム２０８は、各種ドライバからの指示に基づき物理デバイスを制御し、物理デバイスの情報を各デバイスドライバに伝え、各デバイスドライバからの情報を物理デバイスに伝える。